(57)【要約】【課題】端子の中途挿入状態を防止できるコネクタを提供する。【解決手段】端子２の中途挿入状態では、端子２の第２係止凹部６の周縁に第２ランス１８の突起１９のテーパ面１９ａが載った状態となり、カバー２０の閉塞位置への移動過程で、押圧突起２２が第２ランス１８を第２係止凹部６に入り込む方向に押圧し、突起１９のテーパ面１９ａからの押圧力によって端子２が正規挿入位置に移動する。【選択図】図１１
2019087436.tif 000002
【特許請求の範囲】
【請求項１】
電線が接続され、相手端子との接続方向と前記電線の引出方向が異なる端子と、
前記端子を収容する端子収容室を有し、前記端子収容室に開口し、前記端子を前記端子収容室に挿入する開口部が設けられたコネクタハウジングと、
前記コネクタハウジングに装着され、前記開口部を閉塞するカバーとを備え、
前記端子には、第１係止凹部と第２係止凹部が設けられ、
前記コネクタハウジングには、前記端子が正規挿入位置で前記第１係止凹部に入り込んで係止する第１ランスと、前記第１ランスより後方位置に位置し、前記端子が正規挿入位置で前記第２係止凹部に入り込んで係止する第２ランスが設けられ、前記第２ランスの前記第２係止凹部に入り込む突起の周縁はテーパ面に形成され、
前記カバーには、前記コネクタハウジングの装着状態で、前記端子収容室に入り込む押圧突起が設けられ、
前記端子の中途挿入状態では、前記端子の第２係止凹部の周縁に前記第２ランスの前記突起のテーパ面が載った状態となり、前記カバーの閉塞位置への移動過程で、前記押圧突起が前記第２ランスを前記第２係止凹部に入り込む方向に押圧し、前記突起の前記テーパ面からの押圧力によって前記端子が正規挿入位置に移動することを特徴とするコネクタ。
【請求項２】
請求項１記載のコネクタであって、
前記コネクタハウジングの装着状態で、前記押圧突起と前記第２ランスの互いに突き当たる双方の面、若しくは、いずれか一方の面が先端テーパ面に形成されていることを特徴とするコネクタ。
【請求項３】
請求項１又は請求項２記載のコネクタであって、
前記カバーには、前記押圧突起との間で、正規挿入位置の前記端子及び前記第２係止凹部に係止された前記第２ランスを挟持するガタ詰め突起が設けられていることを特徴とするコネクタ。
【請求項４】
請求項１〜請求項３のいずれかに記載のコネクタであって、
前記カバーは、前記コネクタハウジングにヒンジ部を介して連結されていることを特徴とするコネクタ。
【発明の詳細な説明】
【技術分野】
【０００１】
本発明は、端子の接続方向と電線の引出方向が異なる端子を収容したコネクタに関する。
【背景技術】
【０００２】
この種の従来のコネクタとしては、特許文献１に開示されたものが提案されている。このコネクタ１００は、図１３に示すように、電線Ｗが接続された端子１０１と、端子１０１を収容する端子収容室１１１を有するコネクタハウジング１１０と、コネクタハウジングに装着されるカバー１２０と、コネクタハウジング１１０に装着されるスライダ１３０とを備えている。
【０００３】
端子１０１は、相手端子と接続される端子接続部１０１ａと電線Ｗが接続される電線接続部１０１ｂからなり、Ｌ字状の形態である。これにより、相手端子との接続方向ＷＹ１と電線Ｗの引出方向ＷＹ２がほぼ直交方向となっている。
【０００４】
コネクタハウジング１１０には、端子収容室１１１に開口する開口部１１３が設けられている。カバー１２０は、コネクタハウジング１１０に装着状態で、開口部１１３を閉塞する。
【０００５】
コネクタ１００の組付けは、開口部１１３より端子１０１を端子収容室１１１に挿入する。すると、図１４に示すように、コネクタハウジング１１０のランス１１４が弾性変形して端子１０１の挿入が許容される。そして、図１５に示すように、端子１０１が正規挿入位置まで挿入されると、端子１０１の係止部１０２にコネクタハウジング１１０のランス１１４が係止し、端子１０１が端子収容室１１１内に位置決めされる。その後、カバー１２０をコネクタハウジング１１０に装着すれば、完了する。
【０００６】
このコネクタ１００によれば、相手端子との接続方向ＷＹ１とほぼ直交する方向から電線Ｗを引出しできる。
【先行技術文献】
【特許文献】
【０００７】
【特許文献１】特開２０１２−８４２５２号公報
【発明の概要】
【発明が解決しようとする課題】
【０００８】
しかしながら、前記従来のコネクタ１００では、端子１０１が中途挿入状態のままでカバー１２０が閉塞される恐れがある。端子１０１が中途挿入状態の位置で相手コネクタが嵌合されると、端子１０１，（図示せず）間の接続信頼性が確保されないという問題がある。
【０００９】
そこで、本発明は、前記した課題を解決すべくなされたものであり、端子の中途挿入状態を防止できるコネクタを提供することを目的とする。
【課題を解決するための手段】
【００１０】
本発明は、電線が接続され、相手端子との接続方向と前記電線の引出方向が異なる端子と、前記端子を収容する端子収容室を有し、前記端子収容室に開口し、前記端子を前記端子収容室に挿入する開口部が設けられたコネクタハウジングと、前記コネクタハウジングに装着され、前記開口部を閉塞するカバーとを備え、前記端子には、第１係止凹部と第２係止凹部が設けられ、前記コネクタハウジングには、前記端子が正規挿入位置で前記第１係止凹部に入り込んで係止する第１ランスと、前記第１ランスより後方位置に位置し、前記端子が正規挿入位置で前記第２係止凹部に入り込んで係止する第２ランスが設けられ、前記第２ランスの前記第２係止凹部に入り込む突起の周縁はテーパ面に形成され、前記カバーには、前記コネクタハウジングの装着状態で、前記端子収容室に入り込む押圧突起が設けられ、前記端子の中途挿入状態では、前記端子の第２係止凹部の周縁に前記第２ランスの前記突起のテーパ面が載った状態となり、前記カバーの閉塞位置への移動過程で、前記押圧突起が前記第２ランスを前記第２係止凹部に入り込む方向に押圧し、前記突起の前記テーパ面からの押圧力によって前記端子が正規挿入位置に移動することを特徴とするコネクタである。
【発明の効果】
【００１１】
本発明によれば、端子が中途挿入状態にある場合に、コネクタハウジングの開口部をカバーで閉塞すると、カバーの押圧突起が第２ランスを第２係止凹部に入り込む方向に押圧し、この押圧力を受けるテーパ面によって端子に中途挿入位置から正規挿入位置に移動させる押圧力が作用し、端子が正規挿入位置に移動し、端子の中途挿入状態を防止できる。
【図面の簡単な説明】
【００１２】
【図１】本発明の一実施形態を示し、コネクタの組付け過程で、端子の挿入工程を示す斜視図である。
【図２】本発明の一実施形態を示し、コネクタの組付け過程で、カバーを閉じる工程を示す斜視図である。
【図３】本発明の一実施形態を示し、コネクタの組付け完了状態を示す斜視図である。
【図４】本発明の一実施形態を示し、（ａ）は端子の正面図、（ｂ）は（ａ）のｄ矢視図である。
【図５】本発明の一実施形態を示し、コネクタハウジングの正面図である。
【図６】本発明の一実施形態を示し、（ａ）は図３のＡ−Ａ線断面図、（ｂ）は（ａ）のＢ部拡大図である。
【図７】本発明の一実施形態を示し、カバーを解放位置としたコネクタハウジングの斜視図である。
【図８】本発明の一実施形態を示し、（ａ）はの図７のＣ−Ｃ線断面図、（ｂ）は（ａ）のＤ部拡大図である。
【図９】本発明の一実施形態を示し、（ａ）は端子を指で端子収容室に押し込む過程を示す断面図、（ｂ）は（ａ）のＥ部拡大図である。
【図１０】本発明の一実施形態を示し、（ａ）はカバーで開口部を閉塞する過程を示す断面図、（ｂ）は（ａ）のＦ部拡大図である。
【図１１】本発明の一実施形態を示し、（ａ）はカバーで開口部を閉塞する過程で押圧突起が第２ランスを押圧する状態を示す断面図、（ｂ）は（ａ）のＧ部拡大図である。
【図１２】本発明の一実施形態を示し、（ａ）はカバーを閉塞位置とした断面図、（ｂ）は（ａ）はＨ部拡大図ある。
【図１３】従来例を示し、コネクタの要部斜視図である。
【図１４】従来例を示し、端子が中途挿入状態である断面図である。
【図１５】従来例を示し、端子を正規挿入位置まで挿入した断面図である。
【発明を実施するための形態】
【００１３】
以下、本発明の一実施形態を図面に基づいて説明する。
【００１４】
図１〜図１２は、本発明の一実施形態を示す。図１〜図３に示すように、コネクタ１は、電線Ｗの端末が接続された端子２と、端子２が収容されるコネクタハウジング１０と、コネクタハウジング１０に装着されるカバー２０とを備えている。
【００１５】
電線Ｗは、多数の素線（符号を付さず）が撚り合わされた芯線ｗ１と、芯線ｗ１の外周を覆う絶縁性の被覆部ｗ２より形成されている。電線Ｗの端末部は、被覆部ｗ２が剥ぎ取られ、芯線ｗ１が露出されている。
【００１６】
端子２は、図４に示すように、相手端子（図示せず）に電気的に接続される端子接続部３と、端子接続部３に一体に設けられた電線加締め部４とを備えている。端子接続部３の先端側には、板バネ３ｂが収容された扁平枠体３ａが設けられている。扁平枠体３ａは、コネクタハウジング１０のコネクタ嵌合口に臨む位置に配置される。電線加締め部４は、端子接続部３の後端側部よりほぼ直交方向に延びている。つまり、端子２は、Ｌ字状形態であり、相手端子との接続方向ＷＹ１と電線Ｗの引出方向ＷＹ２がほぼ直角の向きに形成されている。
【００１７】
端子接続部４には、第１係止凹部５が設けられている。第１係止凹部５は、方形状の孔である。端子接続部４の第１係止凹部５よりも挿入後方位置には、第２係止凹部６が設けられている。第２係止凹部６は、円形状の孔である。
【００１８】
コネクタハウジング１０は、図５〜図８に詳しく示すように、ハウジング本体１１と、ハウジング本体１１の後端部より直角になる方向に突出するハウジング突部１２とを有する。ハウジング本体１１及びハウジング突部１２には、端子収容室１３が形成されている。ハウジング本体１１側の端子収容室１３とハウジング突部１２側の端子収容室１３は、ほぼ直角の向きに配置されている。つまり、端子収容室１３は、Ｌ字状に形成されている。ハウジング本体１１側の端子収容室１３には、端子２の端子接続部３が収容される。ハウジング突部１２側の端子収容室１３には、端子２の電線加締め部４が収容される。ハウジング突部１２の側端面には、電線引出口１４が形成されている。端子収容室１３の後面側には、開口部１５が形成されている。ハウジング本体１１とハウジング突部１２の後面側の外面には、複数箇所にロック爪１６が設けられている。
【００１９】
図９に示すように、ハウジング本体１１には、第１ランス１７と第２ランス１８が設けられている。第１ランス１７は、ハウジング本体１１に片持ち支持されている。第１ランス１７の自由端側である先端部は、端子収容室１３の前方位置に突出する突起１７Ａを有する。第１ランス１７の上方には、第１ランス１７が端子収容室１３より退出する方向に弾性撓み変形するための第１空間Ｓ１が形成されている。
【００２０】
第２ランス１８は、ハウジング本体１１に片持ち支持されている。第２ランス１８の自由端である先端面には、先端テーパ面１８ａが形成されている。第２ランス１８の自由端側である先端部は、端子収容室１３の後方位置に突出する突起１９を有する。突起１９は、円形状の突起である。突起１９は、端子の第２係止凹部６の寸法より大きく形成されている。突起１９の全周縁は、テーパ面１９ａが形成されている。第２ランス１８の上方には、第２ランス１８が端子収容室１３より退出する方向に弾性撓み変形するための第２空間Ｓ２が形成されている。
【００２１】
カバー２０は、図７及び図８に詳しく示すように、ヒンジ部３０を介してコネクタハウジング１０に連結されている。カバー２０には、複数の弾性係止枠２１が設けられている。各弾性係止枠２１をコネクタハウジング１０の各ロック爪１６に係止することによってカバー２０がコネクタハウジング１０に装着される。カバー２０は、装着状態でコネクタハウジング１０の開口部１５を閉塞する。カバー２０は、弾性係止枠２１のロック爪１６への係止を解除することによってコネクタハウジング１０の開口部１５を解放する位置にできる。
【００２２】
カバー２０の内面には、押圧突起２２とガタ詰め突起２５が突設されている。押圧突起２２は、根本部２３と根本部２３より延設された先端突部２４とから設けられている。先端突部２４の先端面は、先端テーパ面２４ａに形成されている。先端突部２４は、第２空間Ｓ２に挿入できる肉厚（幅）に形成されている。先端突部２４の上面は、根本部２３と面一であるが、先端突部２４の下面は、根本部２３の下面より高く形成されている。これにより、押圧突起２２の先端突部２４とガタ詰め突起２５との隙間寸法ｄ１（図８（ａ）に示す）は、端子２の第２係止凹部６に嵌り込んだ状態の第２ランス１８と端子２を圧入する寸法に設定されている。押圧突起２２の根本部２３とガタ詰め突起２５との隙間寸法ｄ２（図８（ａ）に示す）は、端子２を挿入できる寸法に設定されている。
【００２３】
次に、コネクタ１の組付け手順を説明する。図１に示すように、カバー２０を解放位置とする。そして、コネクタハウジング１０の開口部１５より端子２を端子収容室１３に挿入する。端子２に接続された電線Ｗは、電線引出口１４より外部に導かれる。
【００２４】
次に、図２に示すように、解放位置のカバー２０をコネクタハウジング１０に装着して開口部１５を閉塞すれば完了する（図３参照）。
【００２５】
コネクタ１の組付け過程中の端子２の挿入作業は、図９（ａ）に示すように、端子２がＬ字状形態であるために、作業者が例えば指で端子２の端子接続部３の後端面を押圧することによって通常では行う。すると、作業者が端子２を正規挿入位置まで挿入したと勘違いして、端子２が中途挿入状態で押圧を止めることが想定される。
【００２６】
ここで、中途挿入状態には、端子２が図９（ｂ）の実線位置の場合と、端子２が図９（ｂ）の仮想線位置の場合が考えられる。
【００２７】
図９（ｂ）の実線位置の場合には、第１ランス１７が端子２の第１係止凹部５に係止されない位置で、且つ、第２ランス１８の突起１９のテーパ面１９ａが端子２の第２係止凹部６の前側の周縁に載らない位置となる。
【００２８】
図９（ｂ）の仮想線位置の場合には、第１ランス１７が端子２の第１係止凹部５に係止されない位置で、且つ、第２ランス１８の突起１９のテーパ面１９ａが端子２の第２係止凹部６の前側の周縁に載った位置（図１０（ｂ）参照）となる。
【００２９】
次に、カバー２０をコネクタハウジング１０に装着する作業を行うのであるが、図９（ｂ）の実線位置の中途挿入状態にあって、作業者がカバー２０をコネクタハウジング１０に装着しようとしても押圧突起２２の先端突部２４が第２ランス１８の先端テーパ面１８ａ以外の面に突き当り、カバー２０をコネクタハウジング１０に装着することができない。これにより、中途挿入状態を検知できる。この場合には、作業者が例えば指で端子２の端子接続部３の後端面を再度押圧し、端子２を正規挿入位置へと挿入する。
【００３０】
図９（ｂ）の仮想線位置の中途挿入状態にあって、作業者がカバー２０をコネクタハウジング１０に装着する作業を行うと、図１０に示すように、先ず、押圧突起２２の先端突部２４と第２ランス１８の双方の先端テーパ面２４ａ、１８ａが突き当たる。この位置よりカバー２０の装着（閉塞位置への移動）が進むと、図１１に示すように、双方の先端テーパ面２４ａ、１８ａのガイド機能によって、押圧突起２２の先端突部２４が第２空間Ｓ２に入り込む方向に進み（図１１（ｂ）の（１）矢印参照）、第２ランス１８を端子収容室１３側に押圧する。ここで、第２ランス８の突起１９は、そのテーパ面１９ａが端子２の第２係止凹部６の前方の周縁に載っているため、第２ランス１８に作用する押圧力（端子収容室１３側への押圧力）によって、第２ランス１８が下方に変位し（図１１（ｂ）の（２）矢印参照）、端子２が正規挿入位置の方向（図１１（ｂ）の（３）矢印参照）に移動する。
【００３１】
カバー２０が閉塞位置まで移動すると、図１２に示すように、端子２が正規挿入位置まで移動する。そして、第１ランス１７が端子２の第１係止凹部５に係止し、第２ランス１８が端子２の第２係止凹部６に係止する。これにより、端子２は二重係止された状態で端子収容室１３に収容される。
【００３２】
カバー２０の閉塞位置では、図１２（ｂ）に詳しく示すように、押圧突起２２の先端突部２４とガタ詰め突起２５の間に、第２ランス１８と端子２が圧入される。又、第２ランス１８の突起１９は、そのテーパ面１９ａが端子２の第２係止凹部６の全周縁に当接する状態で、第２係止凹部６に嵌り込む。従って、第２ランス１８の突起１９と端子２の第２係止凹部６の間に寸法誤差があっても、第２ランス１８の突起１９は端子２の第２係止凹部６の周縁に確実に当接した状態で係止される。
【００３３】
詳細には、突起１９の周縁がテーパ面１９ａではなく垂直面である場合、突起１９の径が第２係止凹部６の径より小さいと、ガタつきが発生し、逆に突起１９の径が第２係止凹部６の径より大きいと突起が第２係止凹部に係止されない。
【００３４】
以上説明したように、コネクタ１は、端子２には、第１係止凹部５と第２係止凹部６が設けられ、コネクタハウジング１０には、端子２が正規挿入位置で第１係止凹部５に入り込んで係止する第１ランス１７と、第１ランス１７より後方位置に位置し、端子２が正規挿入位置で第２係止凹部６に入り込んで係止する第２ランス１８が設けられ、第２ランス１８の第２係止凹部６に入り込む突起１９の周縁はテーパ面１９ａに形成され、カバー２０には、コネクタハウジング１０の装着状態で、端子収容室１３に入り込む押圧突起２２が設けられ、端子２の中途挿入状態では、端子２の第２係止凹部６の周縁に第２ランス１８の突起１９のテーパ面１９ａが載った状態となり、カバー２０の閉塞位置への移動過程で、押圧突起２２が第２ランス１８を第２係止凹部６に入り込む方向に押圧し、突起１９のテーパ面１９ａからの押圧力によって端子２が正規挿入位置に移動するよう構成されている。
【００３５】
従って、端子２が中途挿入状態にある場合に、コネクタハウジング１０の開口部１５をカバー２０で閉塞すると、カバー２０の押圧突起２２が第２ランス１８を第２係止凹部６に入り込む方向に押圧し、この押圧力を受けるテーパ面１９ａによって端子２に中途挿入位置から正規挿入位置に移動させる押圧力が作用し、端子２が正規挿入位置に移動する。これにより、端子２の中途挿入状態を防止でき、端子間の接続信頼性が確実に確保される。
【００３６】
コネクタハウジング１０の装着状態で、押圧突起２２と第２ランス１８の互いに突き当たる双方の面が先端テーパ面２４ａ，１８ａに形成されている。従って、双方の先端テーパ面２４ａ，１８ａにガイドされて、押圧突起２２が第２ランス１８を確実に第２係止凹部６に入り込む方向に押圧する。押圧突起２２と第２ランス１８の互いに突き当たるいずれか一方の面を先端テーパ面に形成しても良い。
【００３７】
カバー２０には、押圧突起２２との間で、正規挿入位置の端子２及び第２係止凹部６に係止された第２ランス１８を挟持するガタ詰め突起２５が設けられている。従って、第２ランス１８による端子２への係止が強固になると共に端子２の振動も抑制できる。
【００３８】
カバー２０は、コネクタハウジング１０にヒンジ部３０を介して連結されている。従って、部品点数の削減になる。カバー２０がコネクタハウジング１０に連結されているため、カバー２０の閉塞・解放時の作業性が良い。カバー２０は、コネクタハウジング１０と連結されずに、単体の部品であっても良い。
【００３９】
この実施形態では、第１係止凹部５は、方形状の貫通孔であるが、第１ランス１７が係止できる形態であれば良く、有底の孔であっても良い。孔の形状も問わない。第２係止凹部６は、円形状の貫通孔であるが、第２ランス１８の突起１９が入り込んで係止可能な形態であれば良く、有底の孔であっても良い。孔の形状も問わない。
【００４０】
第２ランス１８の先端テーパ面１８ａ、押圧突起２２の先端テーパ面２４ａ及び突起１９のテーパ面１９ａは、共にストレート面であるが、ガイド機能を発揮できる面形状であれば良く、円弧面であっても良い。
【符号の説明】
【００４１】
１  コネクタ
２  端子
５  第１係止凹部
６  第２係止凹部
１０  コネクタハウジング
１３  端子収容室
１５  開口部
１７  第１ランス
１８  第２ランス
１８ａ  先端テーパ面
１９  突起
１９ａ  テーパ面
２０  カバー
２２  押圧突起
２４ａ  先端テーパ面
２５  ガタ詰め突起
３０  ヒンジ部
Ｗ  電線
【図１】
2019087436.tif 000003
【図２】
2019087436.tif 000004
【図３】
2019087436.tif 000005
【図４】
2019087436.tif 000006
【図５】
2019087436.tif 000007
【図６】
2019087436.tif 000008
【図７】
2019087436.tif 000009
【図８】
2019087436.tif 000010
【図９】
2019087436.tif 000011
【図１０】
2019087436.tif 000012
【図１１】
2019087436.tif 000013
【図１２】
2019087436.tif 000014
【図１３】
2019087436.tif 000015
【図１４】
2019087436.tif 000016
【図１５】
2019087436.tif 000017